(57)【要約】      （修正有）【課題】背面開きドレス等の衣服を一人で着用する際に、他人の手を借りずにファスナーの開閉を容易に行うことができるばかりでなく、如何なる形状のスライダーでも容易かつ確実に保持し、スライダーや衣服の損傷を防止することができるファスナーの開閉補助具を提供する。【解決手段】可撓性のある紐２と、紐２の端部に接続されたクリップ部１Ａとからなり、背面開き衣服の背中部分に上下方向に設けられているファスナーのスタイダーをクリップ部１Ａで挟んで開閉する補助具であって、クリップ部１Ａのスライダー挟持面４を弾性材で形成すると共に、クリップ部１Ａの開閉端側面にクリップの開閉方向に伸縮可能なガイド部５を設ける。【選択図】図１
0003193236.tif 000002
【実用新案登録請求の範囲】
【請求項１】
可撓性のある紐体と、該紐体の少なくとも一端に接続されたクリップ部とからなり、背面開き衣服の背中部分に上下方向に設けられているファスナーのスタイダーを前記クリップ部で挟んで開閉する補助具であって、クリップ部のスライダー挟持面を弾性材で形成すると共に、クリップ部の開閉端側面にクリップの開閉方向に伸縮可能なガイド部を設けたことを特徴とする背面ファスナー開閉補助具。
【請求項２】
スライダー挟持面の弾性材がゴムであることを特徴とする請求項１記載の背面ファスナー開閉補助具。
【請求項３】
ガイド部が、クリップ開閉端面を包囲して取り付けられるゴム環であることを特徴とする請求項１又は請求項２記載の背面ファスナー開閉補助具。
【請求項４】
紐体の他端にガイド部の無いクリップ部を接続したことを特徴とする請求項１ないし請求項３のいずれかに記載の背面ファスナー開閉補助具。
【考案の詳細な説明】
【技術分野】
【０００１】  本考案は、背面開きドレスやウエットスーツ等の着脱に際し、背中部分に縫製されているファスナーの上げ下げによって開閉を要する背面ファスナー開閉補助具に関するものである。
【背景技術】
【０００２】  従来、とくに女性が着用するフォーマルドレスやワンピース等、背面がファスナーの上げ下げにより開閉する背面開き仕様の衣服を着脱する際、この作業は大変に煩わしいものであり、一人住まいの女性や高齢者はとりわけ困難を要する。また、マリンスポーツで使用されるウエットスーツ等も同様の課題がある。【０００３】  つまり、背面ファスナーのスライダーが腰付近にあるうちは左右いずれの手も肩と腰の間から容易に届くから問題はないが、スライダーを首の後に位置する最上部にまで引き上げる段になると、スライダーを肩甲骨の中央付近を通過させなければならないが、この部分には左右いずれの手先も届かないため、スライダーを引き上げることができないのである。脱衣時にスライダーを最上部から最下部にまで引き下げる場合も同様である。【０００４】  そこで、この問題を解決する補助具として、例えば、パイプの先端に釣針のようなフックを付けたファスナー開閉棒（特許文献１参照）、容器に収納できるボールチェーンの一方を、容器の蓋に取り付け、他方にファスナーの引具を引っ張るための掛け金を取り付けた背ファスナー開閉補助具（特許文献２参照）、糸の片端にファスナーの引き具を引っ掛けるためのリングを取り付け、もう一方の片端に引っ張るためのリングを取り付け、クリップをファスナーの引き具に引っ掛けてリングと糸で引っ張り開閉を補助するファスナーの開閉補助具（特許文献３参照）、可撓性のある一定長さの紐体と、紐体の一端部に接続され、スライダーの引き手に掛け止め又は掛け外しが自在な止め金具と、紐体の他端部に接続され、スライダーの引き手に掛け止めされた止め金具によりスライドファスナーを、紐体を介して引き上げ又は引き下げる重りとからなるスライドファスナーのスライダー上げ下げ補助具（特許文献４参照）等、種々提案されている。
【先行技術文献】
【特許文献】
【０００５】
【特許文献１】実開昭６３−１５８０２号公報
【特許文献２】実開平６−８６５３８号公報
【特許文献３】特開平９−１３４号公報
【特許文献４】実用新案登録第３１５５７０３号公報
【考案の概要】
【考案が解決しようとする課題】
【０００６】  ところが、従来の補助具におけるスライダー保持部分は、クリップや掛け金具、あるいは蟹カン等フック状であるため、スタイダーへの掛け外しに手間取ったり、掛け外す穴やリングが無い形状のスライダーには使用できないという問題があった。また、フックが不用意に動いて引っ掛りスライダーや衣服を損傷するという問題があった。
本考案は、従来技術の上記のような欠点に鑑み、背面開きドレス等の衣服を一人で着用する際に、他人の手を借りずにファスナーの開閉を容易に行うことができるばかりでなく、如何なる形状のスライダーでも容易かつ確実に保持し、スライダーや衣服の損傷を防止することができるファスナーの開閉補助具を提供することを目的とする。
【課題を解決するための手段】
【０００７】  上記課題を解決するために、本考案の背面ファスナー開閉補助具は、可撓性のある紐体と、該紐体の少なくとも一端に接続されたクリップ部とからなり、背面開き衣服の背中部分に上下方向に設けられているファスナーのスタイダーを前記クリップ部で挟んで開閉する補助具であって、クリップ部のスライダー挟持面を弾性材で形成すると共に、クリップ部の開閉端側面にクリップの開閉方向に伸縮可能なガイド部を設けたことを第１の特徴とする。また、スライダー挟持面の弾性材がゴムであることを第２の特徴とする。さらに、ガイド部が、クリップ開閉端面を包囲して取り付けられるゴム環であることを第３の特徴とする。さらにまた、紐体の他端にガイド部の無いクリップ部を接続したことを第４の特徴とする。
【考案の効果】
【０００８】  本考案のファスナー開閉補助具は、後開きドレス等の衣服を一人で着脱する際に、背面のファスナーに手が届かなかったり、肩に負担がかかることを解消し、他人の手を借りずに衣服の着脱を無理なく容易に行うことができる。
【図面の簡単な説明】
【０００９】
【図１】本考案に係るファスナー開閉補助具を示す斜視図である。
【図２】（ａ）はクリップ部の開状態を示す斜視図、（ｂ）は閉状態を示す斜視図である。
【考案を実施するための形態】
【実施例】
【００１０】  図１乃至図２に示すように、本考案は、衣服９に縫製して取り付けられた背面ファスナー８のスライダー７を挟んで上げ下げするクリップ型のファスナー開閉補助具１０で、一対のクリップパーツ１ａ，１ａを中心で嵌め合わせ一体にした開閉自在のクリップ部１Ａでファスナー８のスライダー７を挟んだ状態で、クリップ部１Ａに連結された紐３を牽引してファスナー８を上げ下げするものである。【００１１】  クリップ部１Ａ，１Ｂは、リングバネ２により通常は閉じた状態に付勢され、このリングバネ２には、長さ５０ｃｍ程度の所期の強度を有する可撓性を有する紐３を接続する。尚、本考案では、紐３の両端にクリップ部１Ａを接続しているが、どちらか一端側に設けるだけで所期の効果は得られる。【００１２】  クリップ部１Ａのスライダー挟持面４は弾性材で形成することが望ましい、本実施例では、ゴム帯を貼付してスライダー挟持面４としている。これにより、スタイダー７を押圧状態で確実に保持してスライダー上げ下げ時の引き抜けを防止できるばかりでなく、掛け外す穴やリングが無い形状のスライダー等、如何なる形状のスライダーにも適用できる。また、スライダー７を挟むという極めて単純な動作のみで留めることができるので、従来のフックのように、スタイダー７への掛け外しに手間取ることもない。また、フックが不用意に動いて引っ掛りスライダー７や衣服９を損傷することも防止できる。【００１３】  さらに、クリップ部１Ａの開閉端側面には、クリップ部１Ａの開閉方向に伸縮可能なガイド部５が設けられている。このガイド部５は、クリップ開閉端面を包囲して取り付けられるゴム環であり、クリップ部１Ａがスライダー７を斜めに挟んだり、スライダー７の一部のみが挟持されることを防止し、スライダー７への装着が容易になり、ファスナー８の上げ下げ方向に対して真っ直ぐに確実に保持することができ、スムーズな開閉動作を実現することができる。尚、ガイド部５は、クリップ部１Ａの開閉端側面からのスライダー７の逸脱防止を図るものであり、ゴム環以外の伸縮自在あるいは折り畳み自在の合成樹脂製テープ等でもよい。【００１４】  本考案のファスナー開閉補助具１０を使用する時は、ガイド部５のある一方のクリップ部１Ａを予め背面開きドレス等のファスナーのスライダー７部分にクリップ部１で挟んでおく、次いで衣服を着用し、ガイド部５の無い他方のクリップ１Ｂを着用者が掴みやすい衣服の一部（例えば、肩の前面部等）に挟んで止めておき、ファスナー開閉補助具１０の紐３を肩越しに持ち上げ引き上げることでファスナー８を閉じる。このように、クリップ１Ｂを着用者が掴みやすい衣服の一部に挟んで止めておけば、紐３の端部をむやみに探す必要が無く、操作が非常に楽になる。衣服を脱ぐ際は、首の後ろにあるファスナー８のスライダー７をクリップ部１Ａで挟み、紐３を引いてファスナーを下ろす。【００１５】  尚、本実施例において、ゴム帯を積層貼付してスライダー挟持面４としているが、これに限定されるものではなく、スライダー挟持面４は予め弾性材で形成するものでもよく、クリップ部１Ａと一体的に成形されるものでもよい。また、その材質もゴム材に限定されるものではなく、弾力性のある合成樹脂等を使用するものでもよい。また、本考案品はドレス等の衣服だけではなく、背面開きのウェットスーツ用としても好適である。とくにウェットスーツのようにファスナーの開閉に比較的強い牽引力を要するものに対して、スライダーをバネ圧で挟持するクリップ部を備えた本考案品は極めて有用である。
【符号の説明】
【００１６】１Ａクリップ部
１Ｂクリップ部
１ａクリップパーツ
２  リングバネ
３  紐
４  スライダー挟持面（ゴム帯）
５  ガイド部（ゴム環）
６  留め環
７  スライダー
８  ファスナー
９  衣服
１０ファスナー開閉補助具
【図１】
0003193236.tif 000003
【図２】
0003193236.tif 000004